(57)【要約】【課題】誤接続による短絡を抑制することができる組電池を提供する。【解決手段】電池セル２Ａ〜２Ｆの正極２１のみに突起部２１２が設けられるとともに、バスバ３Ａ、３Ｂに貫通孔３５が形成され、これらが嵌合部として機能することで、バスバ３Ａ、３Ｂが正規の位置に配置される場合には、嵌合部同士が嵌合し、バスバ３Ａ、３Ｂが正規の位置から配列方向にずれた場合には、嵌合部同士が嵌合しない部分が存在し、バスバの組み付けが阻害される。従って、誤接続による短絡を抑制することができる。【選択図】図１
2019067689.tif 000002
【特許請求の範囲】
【請求項１】
所定の配列方向に並べられた複数の電池セルが、複数のバスバによって接続される組電池であって、
同極同士が前記配列方向において隣り合うように並んだ２つ以上の前記電池セルが、並列ユニットを構成し、
前記並列ユニットは、これと前記配列方向において隣り合う他の前記並列ユニットに対し、正極と負極とが前記配列方向において隣り合うように配置され、
前記並列ユニットを構成する少なくとも１つの前記電池セルにおける正極および負極のうち一方のみと、前記バスバと、には、互いに嵌合する嵌合部が設けられていることを特徴とする組電池。
【請求項２】
前記電池セルに設けられた前記嵌合部が突起部であり、前記バスバに設けられた前記嵌合部が凹部または貫通孔であることを特徴とする請求項１に記載の組電池。
【請求項３】
一の前記電池セルにおける正極と負極との対向方向の一方側に設けられる前記バスバと他方側に設けられる前記バスバとでは、前記嵌合部同士の間隔が異なることを特徴とする請求項１又は２に記載の組電池。
【請求項４】
同一の前記並列ユニットを構成する前記電池セルにおいて、前記嵌合部は、前記配列方向における当該電池セルの中央部から同じ側にずれて配置されていることを特徴とする請求項１〜３のいずれか１項に記載の組電池。
【請求項５】
所定の配列方向に並べられた複数の電池セルが、複数のバスバによって接続される組電池であって、
同極同士が前記配列方向において隣り合うように並んだ２つ以上の前記電池セルが、並列ユニットを構成し、
前記並列ユニットは、これと前記配列方向において隣り合う他の前記並列ユニットに対し、正極と負極とが前記配列方向において隣り合うように配置され、
前記並列ユニットを構成する少なくとも１つの前記電池セルの正極に正極嵌合部が設けられるとともに、当該電池セルまたは他の少なくとも１つの前記電池セルの負極に負極嵌合部が設けられ、
前記バスバには、前記正極嵌合部と嵌合可能なバスバ第１嵌合部と、前記負極嵌合部と嵌合可能なバスバ第２嵌合部と、が設けられ、
前記正極嵌合部と前記第２バスバ嵌合部との嵌合、及び、前記負極嵌合部と前記第１バスバ嵌合部との嵌合が、同時に成立しないように構成されていることを特徴とする組電池。
【発明の詳細な説明】
【技術分野】
【０００１】
本発明は、所定の配列方向に並べられた複数の電池セルが、複数のバスバによって接続される組電池に関するものである。
【背景技術】
【０００２】
一般に、ハイブリッド車や電気自動車では、高出力且つ大容量の電池を用いることが要求される。そこで、必要な容量および電圧に応じて、複数の電池セルがバスバによって並列や直列に接続され、組電池が構成される。このような組電池では、隣り合う電池セルの電極同士が近くに配置されることがあり、金属製の工具等が接触することにより、電極同士の意図しない短絡が発生してしまう可能性があった。
【０００３】
そこで、組電池においてバスバを被覆するカバー部材を設けることが提案されている（例えば、特許文献１参照）。特許文献１に記載された組電池では、バスバと電池セルの端子とを固定する際には、バスバを露出状態とし、作業が行われない際にはバスバを被覆状態とすることにより、工具等の接触による短絡を抑制している。
【先行技術文献】
【特許文献】
【０００４】
【特許文献１】特開２００８−１６６００８号公報
【発明の概要】
【発明が解決しようとする課題】
【０００５】
しかしながら、特許文献１に記載されたようにカバー部材を設ける構成では、工具等の外的な要因による短絡を抑制することはできても、そもそもバスバを誤組み付けした場合の短絡は防止することができない。図１０に示すように、複数の電池セル１００Ａ〜１００Ｆが所定の配列方向に並べられ、同極同士が隣り合うそれぞれ２つ以上の電池セルによって並列ユニット１０１〜１０３が構成されている場合（直並列型の組電池の場合）、４つの電極に対してバスバ１０４によって接続される。
【０００６】
このような直並列型の組電池の場合、例えば、図１１に示すように、バスバ１０４が接続される電極が１セル分ずれてしまうといった誤接続が考えられる。このとき、電池セルによって閉回路（短絡回路）が形成されてしまう。直並列型の組電池では、正極と負極とが配列方向に交互に隣り合う直列型の組電池と比較して、バスバが接続される電極の数が多くなるため、誤接続が生じやすい。
【０００７】
本発明の目的は、誤接続による短絡を抑制することができる組電池を提供することにある。
【課題を解決するための手段】
【０００８】
本願発明の組電池は、所定の配列方向に並べられた複数の電池セルが、複数のバスバによって接続される組電池であって、同極同士が前記配列方向において隣り合うように並んだ２つ以上の前記電池セルが、並列ユニットを構成し、前記並列ユニットと、これと前記配列方向において隣り合う他の前記並列ユニットに対し、正極と負極とが前記配列方向において隣り合うように配置され、前記並列ユニットを構成する少なくとも１つの前記電池セルにおける正極および負極のうち一方のみと、前記バスバと、には、互いに嵌合する嵌合部が設けられていることを特徴とする。
【発明の効果】
【０００９】
このような本願発明の組電池によれば、電池セルの正極および負極のうち一方のみと、バスバと、に嵌合部が設けられていることで、バスバが正規の位置に配置される場合には、嵌合部同士が嵌合し、バスバが正規の位置から配列方向にずれた場合には、嵌合部同士が嵌合しない部分が存在し、バスバの組み付けが阻害される。従って、誤接続による短絡を抑制することができる。
【図面の簡単な説明】
【００１０】
【図１】本発明の実施形態に係る組電池を示す斜視図である。
【図２】前記組電池においてバスバを接続する様子を示す斜視図である。
【図３】前記組電池において前記バスバを誤って接続しようとした様子を示す斜視図である。
【図４】本発明の第１の変形例に係る組電池を示す平面図である。
【図５】本発明の第２の変形例に係る組電池を示す平面図である。
【図６】前記組電池においてバスバが正規の位置に配置された様子を示す平面図である。
【図７】前記組電池においてバスバが正規の位置に配置されない場合の一例を示す平面図である。
【図８】本発明の第３の変形例に係る組電池を示す平面図である。
【図９】本発明の第４の変形例に係る組電池を示す平面図である。
【図１０】従来の組電池においてバスバが正規の位置に配置された様子を示す平面図である。
【図１１】前記組電池においてバスバが正規の位置に配置されない様子を示す平面図である。
【発明を実施するための形態】
【００１１】
以下、本発明の実施形態を図面に基づいて説明する。図１は、本発明の実施形態に係る組電池１を示す斜視図であり、図２は、組電池１においてバスバ３Ａを接続する様子を示す斜視図であり、図３は、組電池１においてバスバ３Ａを誤って接続しようとした様子を示す斜視図である。
【００１２】
本実施形態の組電池１は、図１に示すように、所定の配列方向に並べられた複数の直方体状の電池セル２Ａ〜２Ｆが、複数のバスバ３Ａ、３Ｂによって接続されたものである。尚、本実施形態では６つの電池セル２Ａ〜２Ｆを代表して示すが、組電池１は、さらに多くの電池セルを有していてもよい。また、本実施形態では、電池セル２Ａ〜２Ｆの配列方向をＸ方向とし、１つの電池セルにおける正極と負極との対向方向をＹ方向とし、Ｘ方向およびＹ方向に略直交する方向（電池セルの高さ方向）をＺ方向とする。
【００１３】
図１におけるＸ方向左側２つの電池セル２Ａ、２Ｂは、いずれも正極２１がＹ方向一方側（図中手前側）に位置し、負極２２がＹ方向他方側（図中奥側）に位置する。即ち、２つの電池セル２Ａ、２Ｂは、同極同士がＸ方向において隣り合うように並んでおり、並列ユニット４１を構成する。Ｘ方向中央２つの電池セル２Ｃ、２Ｄは、いずれも正極２１がＹ方向他方側に位置し、負極２２がＹ方向一方側に位置する。即ち、２つの電池セル２Ｃ、２Ｄは、同極同士がＸ方向において隣り合うように並んでおり、並列ユニット４２を構成する。Ｘ方向右側２つの電池セル２Ｅ、２Ｆは、いずれも正極２１がＹ方向一方側に位置し、負極２２がＹ方向他方側に位置する。即ち、２つの電池セル２Ｅ、２Ｆは、同極同士がＸ方向において隣り合うように並んでおり、並列ユニット４３を構成する。
【００１４】
並列ユニット４１では正極２１がＹ方向一方側に位置するとともに負極２２が他方側に位置し、並列ユニット４２では正極２１がＹ方向他方側に位置するとともに負極２２が一方側に位置し、並列ユニット４３では正極２１がＹ方向一方側に位置するとともに負極２２が他方側に位置する。このように、並列ユニット４１〜４３は、Ｘ方向において正極２１と負極２２が交互に並んでいる。即ち、並列ユニットは、これとＸ方向において隣り合う他の並列ユニットに対し、正極と負極とがＸ方向において隣り合うように配置されている。
【００１５】
組電池１は、上記のように電池セル２Ａ〜２Ｆが配置され、後述するようにバスバ３Ａ、３Ｂによって接続されることにより、直並列型となっている。
【００１６】
電池セル２Ａ〜２Ｆの正極２１は、電極部（端子金具）２１１と突起部２１２とを有する。電極部２１１は、電池セル２Ａ〜２Ｆの上面（Ｚ方向一方側を向いた面）に設けられており、さらにその上面にバスバ３Ａ、３Ｂが載置されることにより、バスバ３Ａ、３Ｂと電気的に接続されるようになっている。バスバ３Ａ、３Ｂと電極部２１１とは、レーザ溶接や、抵抗溶接、超音波溶接等の適宜な溶接によって固定されればよい。突起部２１２は、例えば絶縁性の樹脂によって構成され、電池セル２Ａ〜２Ｆの上面から突出するように、例えば円柱状等の柱状に形成されている。
【００１７】
電極部２１１は正方形または長方形の板状に形成されており、突起部２１２は電極部２１１の中央部（対角線の交点部）に配置されている。また、電極部２１１は、電池セル２Ａ〜２Ｆの上面において、Ｘ方向中央部に配置されている。従って、電極部２１１は電池セル２Ａ〜２Ｆにおいて、Ｘ方向中央部に配置されている。また、電極部２１１と突起部２１２とがインサート成形によって一体的に形成されている。
【００１８】
尚、電極部２１１と突起部２１２とは別体に形成されていてもよい。この場合、電極部２１１には、突起部２１２と干渉しないように貫通孔または切欠きが形成されていればよい。
【００１９】
電池セル２Ａ〜２Ｆの負極２２は、電極部（端子金具）２２１を有する。電極部２２１は、電池セル２Ａ〜２Ｆの上面に設けられており、さらにその上面にバスバ３Ａ、３Ｂが載置されることにより、バスバ３Ａ、３Ｂと電気的に接続されるようになっている。このとき、電極部２２１は、上面（バスバとの接触面）が平坦に形成されている。バスバ３Ａ、３Ｂと電極部２２１とは、レーザ溶接や、抵抗溶接、超音波溶接等の溶接によって固定されればよい。また、電極部２２１は、電池セル２Ａ〜２Ｆの上面において、Ｘ方向中央部に配置されている。
【００２０】
バスバ３Ａ、３Ｂは、例えば板金によって帯板状に形成されたものであって、電池セル２Ａ〜２Ｆ同士を電気的に接続するために用いられる。バスバ３Ａ、３Ｂは、４つの電極部２１１、２２１同士を接続可能な長さを有しており、即ち各電極部２１１、２２１に対応した４つの接続領域３１〜３４を有している。バスバ３Ａは、Ｙ方向の他方側において電池セル２Ａ〜２Ｄの電極部２１１、２２１に接続され、バスバ３Ｂは、Ｙ方向の一方側において電池セル２Ｃ〜２Ｆの電極部２１１、２２１に接続される。
【００２１】
４つの接続領域３１〜３４のうち、端部から連続する２つの接続領域３３、３４には、貫通孔３５が形成されている。２つの貫通孔３５は、それぞれに１つの突起部２１２を挿通可能な寸法を有している。即ち、電池セル２Ａ〜２Ｆの正極２１に設けられた突起部２１２と、バスバ３Ａ、３Ｂに形成された貫通孔３５と、が嵌合するようになっており、突起部２１２と貫通孔３５とが嵌合部として機能する。
【００２２】
次に、一方のバスバ３Ａによって電池セル２Ａ、２Ｂの負極２２および電池セル２Ｃ、２Ｄの正極２１を接続する方法について説明する。バスバ３Ａの接続領域３１が電池セル２Ａの負極２２に対応し、接続領域３２が電池セル２Ｂの負極２２に対応し、接続領域３３が電池セル２Ｃの正極２１に対応し、接続領域３４が電池セル２Ｄの正極２１に対応する。
【００２３】
バスバ３Ａが正規の位置に配置された様子を図２に示す。このとき、突起部２１２が貫通孔３５に挿通されて嵌合する。４つ全ての電極部２１１、２１２は、その上面がバスバ３Ａの下面に接触する。即ち、電池セル２Ａの負極２２と、電池セル２Ｂの負極２２と、電池セル２Ｃの正極２１と、電池セル２Ｄの正極２１と、がバスバ３Ａを介して電気的に接続される。
【００２４】
バスバ３Ａが正規の位置に配置されない場合の一例を図３に示す。この例では、バスバ３ＡがＸ方向他方側に１領域分（１セル分）ずれて配置されて（即ち、接続領域３１が電池セル２Ｂに対応するように配置されて）いる。このとき、電池セル２Ｃの突起部２１２が、バスバ３Ａのうち貫通孔３５が形成されていない接続領域３２に対応しており、突起部２１２がバスバ３Ａの下面に当接する。従って、バスバ３Ａが電極部２１１、２２１に近づくことが規制される。バスバ３Ａは、傾くことによって一部の電極部２１１、２２１と接触することはあっても、４つ全ての電極部２１１、２２１が同時にバスバ３Ａと接触しないようになっている。このように、バスバ３Ａの誤組み付けが抑制されている。
【００２５】
上記の例では、バスバ３Ａによる接続について説明したが、バスバ３Ｂによって電池セル２Ｃ、２Ｄの負極と電池セル２Ｅ、２Ｆの正極とを接続する場合も同様に、バスバ３Ｂが正規の位置に配置される場合には貫通孔３５に突起部２１２が挿通され、正規の位置に配置されない場合には突起部２１２がバスバ３Ｂの下面に当接し、誤組み付けが抑制される。
【００２６】
このような本実施形態によれば、以下のような効果がある。即ち、電池セル２Ａ〜２Ｆの正極２１のみに突起部２１２が設けられるとともに、バスバ３Ａ、３Ｂに貫通孔３５が形成され、これらが嵌合部として機能することで、バスバ３Ａ、３Ｂが正規の位置に配置される場合には、嵌合部同士が嵌合し、バスバ３Ａ、３Ｂが正規の位置から配列方向にずれた場合には、嵌合部同士が嵌合しない部分が存在し、バスバの組み付けが阻害される。従って、誤接続による短絡を抑制することができる。
【００２７】
また、電池セル２Ａ〜２Ｆに嵌合部としての突起部２１２が設けられるとともに、バスバ３Ａ、３Ｂに嵌合部としての貫通孔３５が形成されることで、バスバ３Ａ、３Ｂに嵌合部を容易に設けることができる。また、バスバ３Ａ、３Ｂは帯板状に形成されるものであり、突起部２１２を挿通させやすい。
【００２８】
なお、本発明は、前記実施形態に限定されるものではなく、本発明の目的が達成できる他の構成等を含み、以下に示すような変形等も本発明に含まれる。
【００２９】
例えば、前記実施形態では、いずれの突起部２１２も各電池セル２Ａ〜２ＦにおいてＸ方向の中央部に設けられており、Ｙ方向一方側に設けられるバスバ３Ｂと他方側に設けられるバスバ３Ａとで貫通孔３５同士の間隔が等しいものとしたが、これらの間隔は互いに異なっていてもよい。例えば、第１の変形例として図４に示すような構成としてもよい。本構成では、Ｙ方向の一方側において、電池セル２Ａ、２Ｂの突起部２１２が、電池セル２Ａ、２ＢのＸ方向中央部（二点鎖線で図示）からいずれも一方側（図中左側）にずれている。また、Ｙ方向の他方側において、電池セル２Ｃの突起部２１２が、電池セル２ＣのＸ方向中央部から他方側（図中右側）にずれるとともに、電池セル２Ｄの突起部２１２が、電池セル２ＤのＸ方向中央部から一方側にずれている。
【００３０】
貫通孔３５の位置は、突起部２１２の位置に応じて決定される。Ｙ方向一方側における２つの突起部２１２同士の間隔は、Ｙ方向他方側における２つの突起部２１２同士の間隔よりも大きい。従って、Ｙ方向一方側に設けられるバスバ３Ｃにおける２つの貫通孔３５同士の間隔Ｌ１は、Ｙ方向他方側に設けられるバスバ３Ｄにおける２つの貫通孔３５同士の間隔Ｌ２よりも大きい。このようにバスバ３Ｃ、３Ｄにおける貫通孔３５同士の間隔が互いに異なることから、バスバ３ＣをＹ方向他方側に設けようとしたり、バスバ３ＤをＹ方向一方側に設けようとしたりした場合に、２つの突起部２１２を同時に貫通孔３５に挿通することはできない。このように、Ｙ方向一方側に設けられるバスバ３Ｃと他方側に設けられるバスバ３Ｄとで、嵌合部としての貫通孔同士の間隔が異なることで、バスバの誤組み付けを抑制することができる。
【００３１】
また、第２の変形例として図５に示すように、同一の並列ユニット４２を構成する電池セル２Ｃ、２Ｄの突起部２１２が、電池セル２Ｃ、２ＤのＸ方向中央部からいずれも他方側にずれた構成としてもよい。このとき、バスバ３Ｅは、正規の位置に配置された（電池セル２Ａ〜２Ｄの電極部２１１、２２１に接続された）場合に、そのＹ方向の端縁と電極部２１１、２２１のＹ方向の端縁とが揃うように貫通孔３５が形成されている（図６参照）。このとき、作業者がバスバ３Ｅを用い、誤って電池セル２Ｃ〜２Ｆの電極部２１１、２２１に接続した場合、図７に示すように、バスバ３Ｅの端縁が電極部２１１、２２１のＹ方向の端縁に対してずれて配置される。このように、同一の並列ユニット４２を構成する電池セル２Ｃ、２Ｄにおいて、嵌合部としての突起部２１２が、Ｘ方向における電池セル２Ｃ、２Ｄの中央部から同じ側にずれて配置されていることで、誤組み付けが視認されやすい。
【００３２】
また、前記実施形態では、バスバ３Ａ、３Ｂに嵌合部として貫通孔３５が形成されるものとしたが、バスバの一面に、嵌合部としての凹部（貫通しない穴部）が形成され、突起部がこの凹部に嵌まり込むようにしてもよい。このとき、バスバが正規の位置に配置される場合にバスバと電極部とが接触するように、突起部の突出寸法および凹部の深さが設定されればよい。
【００３３】
また、前記実施形態では、電池セル２Ａ〜２Ｆに嵌合部としての突起部２１２が設けられるとともに、バスバ３Ａ、３Ｂに嵌合部としての貫通孔３５が形成されるものとしたが、電池セルの電極部に嵌合部としての凹部または貫通孔を形成するとともに、バスバに嵌合部としての突起部を設けてもよい。このような構成によれば、バスバが正規の位置に配置されない場合に、バスバの突起部が、凹部または貫通孔が形成されない電極部の上面に当接し、接近が規制される。従って、前記実施形態と同様に、バスバの組み付けが阻害され、誤接続による短絡を抑制することができる。尚、バスバに突起部を設ける場合、この突起部は絶縁性であることが好ましい。
【００３４】
また、前記実施形態では、各並列ユニット４１〜４３を構成する全ての電池セル２Ａ〜２Ｆに対し、嵌合部としての突起部２１２が設けられるものとしたが、並列ユニットを構成する２つ以上の電池セルのうち、少なくとも１つに嵌合部が設けられていればよい。例えば、電池セル２Ａ、２Ｃ、２Ｅにのみ突起部２１２を設け、電池セル２Ｂ、２Ｄ、２Ｆに突起部２１２を設けず、バスバ３Ａの接続領域３４に貫通孔３５を形成しない構成としてもよい。この場合であっても、前記実施形態と同様にバスバ３Ａが１セル分ずれた際に誤組み付けが抑制される。
【００３５】
また、前記実施形態では、電池セル２Ａ〜２Ｆの正極２１に嵌合部としての突起部２１２が設けられるものとしたが、負極のみに嵌合部を設けてもよい。
【００３６】
また、正極および負極の両方に嵌合部を設けてもよい。即ち、正極に正極嵌合部を設けるとともに負極に負極嵌合部を設け、バスバに、正極嵌合部と嵌合可能なバスバ第１嵌合部と、負極嵌合部と嵌合可能なバスバ第２嵌合部と、を設けてもよい。このとき、正極嵌合部と第２バスバ嵌合部との嵌合、及び、負極嵌合部と第１バスバ嵌合部との嵌合が、同時に成立しないように構成されていればよい。尚、これらの嵌合を同時に成立させないための構成としては、正極嵌合部と負極嵌合部との形状を互いに異なるものにする構成や、正極嵌合部と負極嵌合部との配置を異なるものにする構成が挙げられる。
【００３７】
例えば、正極嵌合部が２本の突起部により構成されるとともに、負極嵌合部が１本の突起部により構成され、第１バスバ嵌合部が２つの貫通孔により構成されるとともに、第２バスバ嵌合部が１つの貫通孔により構成されるものとすればよい。このような構成によれば、前記実施形態と同様に、バスバが正規の位置から配列方向にずれた場合に、嵌合部同士が嵌合しない部分が存在し、バスバの組み付けが阻害され、誤接続による短絡を抑制することができる。
【００３８】
また、正極および負極の両方に嵌合部を設ける場合、並列ユニットを構成する全ての電池セルにおいて正極および負極に嵌合部を設ける必要はなく、少なくとも１つの電池セルの正極に正極嵌合部が設けられ、少なくとも１つの電池セルの負極に負極嵌合部が設けられていればよい。尚、正極嵌合部が設けられる電池セルと負極嵌合部が設けられる電池セルとは、同一であってもよいし、異なっていてもよい。
【００３９】
図８に第３の変形例を示す。この変形例では、並列ユニット４１を構成する電池セル２Ａ、２Ｂのいずれの正極２１にも正極嵌合部としての突起部２１２が設けられ、一方の電池セル２Ａの負極２２に負極嵌合部としての突起部２２２が設けられている。並列ユニット４２は、Ｚ方向を軸方向として並列ユニット４１を１８０°反転させたものであり、並列ユニット４３は、並列ユニット４１と同様のものである。
【００４０】
このとき、並列ユニット４１において、電池セル２Ａに設けられた突起部２１２は、電極部２１１の中央からずれた位置（図示の例ではＸ方向における電池セル２Ｂと反対側かつＹ方向における外側）に配置され、電池セル２Ａに設けられた突起部２２２は、電極部２２１の中央部に配置され、電池セル２Ｂに設けられた突起部２１２は、電極部２２１の中央部に配置されている。バスバ３Ｆ、３Ｇには、突起部２１２、２２２に対応した位置にバスバ第１嵌合部またはバスバ第２嵌合部としての貫通孔３５が形成されている。
【００４１】
図８に示す例においてバスバ３Ｆを左側に１セル分ずらして組み付けようとした場合、接続領域３２に形成された貫通孔３５と、電池セル２Ｃの突起部２１２とが位置ずれしているため、嵌合しない。また、接続領域３４には貫通孔が形成されておらず、電池セル２Ｅの突起部２２２と嵌合しない。一方、バスバ３Ｆを右側に１セル分ずらして組み付けようとした場合、接続領域３１に形成された貫通孔３５と、電池セル２Ｄの突起部２１２とが位置ずれしているため、嵌合しない。また、接続領域３４には貫通孔が形成されておらず、図示しない電池セル（電池セル２Ｃと同様の構成を有するもの）の突起部と嵌合しない。このように、バスバ３Ｆの誤組み付けが抑制される。尚、バスバ３Ｇを１セル分ずらして組み付けようとした場合も同様である。
【００４２】
図９に第４の変形例を示す。この変形例では、並列ユニット４１を構成する電池セル２Ａ、２Ｂのいずれの正極２１にも正極嵌合部としての突起部２１２が設けられ、一方の電池セル２Ａの負極２２に負極嵌合部としての突起部２２２が設けられている。並列ユニット４２は、Ｚ方向を軸方向として並列ユニット４１を１８０°反転させたものであり、並列ユニット４３は、並列ユニット４１と同様のものである。
【００４３】
このとき、並列ユニット４１において、電池セル２Ａ、２Ｂに設けられた突起部２１２は、電極部２１１の中央部に配置され、電池セル２Ａに設けられた突起部２２２は、電極部２２１の中央からずれた位置（図示の例ではＸ方向における電池セル２Ｂ側）に配置されている。バスバ３Ｈ、３Ｉには、突起部２１２、２２２に対応した位置にバスバ第１嵌合部またはバスバ第２嵌合部としての貫通孔３５が形成されている。
【００４４】
図９に示す例においてバスバ３Ｈを左側に１セル分ずらして組み付けようとした場合、接続領域３３に形成された貫通孔３５と、電池セル２Ｄの突起部２１２とが位置ずれしているため、嵌合しない。また、接続領域３４には貫通孔が形成されておらず、電池セル２Ｅの突起部２２２と嵌合しない。一方、バスバ３Ｈを右側に１セル分ずらして組み付けようとした場合、接続領域３２に形成された貫通孔３５と、電池セル２Ｅの突起部２２２とが位置ずれしているため、嵌合しない。また、接続領域３４には貫通孔が形成されておらず、図示しない電池セル（電池セル２Ｃと同様の構成を有するもの）の突起部と嵌合しない。このように、バスバ３Ｈの誤組み付けが抑制される。尚、バスバ３Ｉを１セル分ずらして組み付けようとした場合も同様である。
【００４５】
また、前記実施形態では、２つの電池セルによって並列ユニットが構成されるものとしたが、３つ以上の電池セルによって並列ユニットが構成されてもよい。
【００４６】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００４７】
１          組電池
２Ａ〜２Ｆ  電池セル
２１        正極
２１２      突起部（嵌合部）
２２        負極
３Ａ、３Ｂ  バスバ
３５        貫通孔（嵌合部）
４１〜４３  並列ユニット
【図１】
2019067689.tif 000003
【図２】
2019067689.tif 000004
【図３】
2019067689.tif 000005
【図４】
2019067689.tif 000006
【図５】
2019067689.tif 000007
【図６】
2019067689.tif 000008
【図７】
2019067689.tif 000009
【図８】
2019067689.tif 000010
【図９】
2019067689.tif 000011
【図１０】
2019067689.tif 000012
【図１１】
2019067689.tif 000013